(57)【要約】  【課題】  ブラシが外部に露出されることを遮蔽することによりブラシの汚染及び磨耗することを防止させる化粧用ブラシを提供する。  【解決手段】  ブラシが１２結合された一側端部のまわりに掛止爪１１ａが形成され、前記掛止爪１１ａの一側に第１ストッパー突起１１ｂが形成され、他側端部のまわりに第２ストッパー突起１１ｃが形成された内柄１１と、一側端部の内周面に前記掛止爪１１ａに掛止されるように掛止片１５ａが形成された滑り柄１５と、前記掛止爪１１ａの移動を阻止するように一側端部の内周面に移動阻止片１４ａを突出形成された外柄１４とを含む。  【選択図】図２
2005007141.tif 000002
【特許請求の範囲】
【請求項１】
一側にブラシが結合される内柄、一端に前記内柄の他端が結合されるパウダー柄、前記内柄のまわりに具備され一端が前記パウダー柄の一端に結合される外柄、内柄と外柄の間に具備されスライド移動される滑り柄、前記外柄の他端に結合される結合チャンバー、前記結合チャンバーの一側に結合され外部の空気をパウダー柄の内部に供給するチューブ、前記結合チャンバーの他端に結合されチューブに空気を注入させるボタン、前記結合チャンバーと前記ボタンの間に具備されるスプリングで構成される化粧用ブラシにおいて、
ブラシが結合された一側端部のまわりに掛止爪が形成され、前記掛止爪の一側に第１ストッパー突起が形成され、他側端部のまわりに第２ストッパー突起が形成された内柄と、
一側端部の内周面に前記掛止爪に掛止されるように掛止片が形成された滑り柄と、
前記掛止爪の移動を阻止するように一側端部の内周面に移動阻止片を突出形成された外柄と、
を具備したことを特徴とする化粧用ブラシ。 
【請求項２】
前記パウダー柄の内部に収容される分割板であって、円筒形で形成され内部にチューブが挿入される結合部と、前記結合部のまわりに放射状に多数形成されパウダー柄の内部空間を分割する多数の隔板とで構成された分割板を更に具備したことを特徴とする請求項１記載の化粧用ブラシ。
【請求項３】
前記チューブの内部に２つのフィルターを具備するとともに、前記両フィルターの間に除湿剤を具備したことを特徴とする請求項１記載の化粧用ブラシ。
【発明の詳細な説明】
【技術分野】
【０００１】
本発明は化粧用のブラシに関し、特にブラシが外部に露出されることを遮蔽することによりブラシの汚染及び磨耗を防止させる化粧用ブラシに関する。
【背景技術】
【０００２】
一般的に化粧用ブラシは、自体に化粧パウダーを内蔵した状態から、ブラシに化粧パウダーを供給することによってブラシと化粧パウダーを別途に携帯する必要なく簡便に使用できる化粧道具である。
【０００３】
一例に、従来の化粧用ブラシは、一側にブラシが具備され、その内部には化粧パウダーを受容する内柄及び内柄へ空気を注入するためのポンプで構成される。そして、このポンプを用いて内柄へ空気を注入させ、化粧パウダーがブラシに噴射できるようにしている。
【０００４】
しかし、このような従来のブラシは何の保護手段もないまま常に外部に露出されているので、ブラシが容易に磨耗もしくは汚染されるという問題がある。このような問題を解決するために、図１に示した化粧用ブラシが開発された（特許文献１参照）。
【０００５】
【特許文献１】韓国登録実用新案第２０−０１６５４８２号公報
【０００６】
これには、ブラシ２が覆い被されるように内柄１の外部を包みながらスライドされる滑り柄５と、滑り柄５の先端部に覆い被されていて押圧時には滑り柄５とともにスライドされながらブラシ２を保護する保護キャップ６が具備されている。したがって、滑り柄５と保護キャップ６を具備することによりブラシ２の未使用時にはブラシ２を覆い被らせブラシの磨耗及び汚染を防止させた。そして、内柄１とブラシ２が設置された結合チャンバー７を結合自在及び分離自在にさせることにより化粧パウダーの再充電作業における複雑さを解消させた。
【発明の開示】
【発明が解決しようとする課題】
【０００７】
しかし、このような従来の化粧用ブラシは、滑り柄５が内柄１まわりに沿って一定間隔でスライド案内されるように滑り柄５に摩擦片５ａと案内突起５ｂを形成するとともに、内柄１に摩擦片５ａをガイドする摩擦片ガイド１ａと案内突起５ｂをガイドする案内溝１ｂを更に形成しなければならない。よって、滑り柄５をスライド移動させるために、比較的製作が難しい摩擦片５ａの加工作業とともに、長い摩擦片ガイド１ａ、案内溝１ｂ、案内突起５ｂの突出形成作業をしなければならないので、その作業が煩雑であった。
【０００８】
本発明は、このような問題点を解決しようとするもので、比較的簡単な滑り柄のスライド構造を持つ化粧用ブラシを提供することにその目的がある。
【課題を解決するための手段】
【０００９】
前述のような目的を達成するために、本発明の化粧用ブラシは、一側にブラシが結合される内柄、一端に前記内柄の他端が結合されるパウダー柄、前記内柄と外柄の間に具備されスライド移動される滑り柄、前記外柄の他端に結合される結合チャンバー、前記結合チャンバーの一側に結合され外部の空気をパウダー柄の内部へ供給するチューブ、前記結合チャンバーの他側に結合され空気を注入させるボタン、前記結合チャンバーとボタンの間に具備されるスプリングで構成された化粧用ブラシにおいて、以下のような内柄、滑り柄、外柄を更に具備されることを特徴とする。
【００１０】
内柄は、ブラシが結合された一側端部のまわりに掛止爪が形成されるとともに、前記掛止爪の一側に第１ストッパー突起が形成され、他側端のまわりに第２ストッパー突起が形成される。滑り柄は、一側端部の内周面に前記掛止爪に掛止されるように掛止片が形成される。外柄は、前記掛止爪の移動を阻止するように一側端部の内周面に移動阻止片部が突出形成される。
【００１１】
本発明の化粧用ブラシのもう一つの特徴は、前記パウダー柄の内部に収容される分割板であって、円筒形で形成されて内部にチューブが挿入される結合部と、前記結合部のまわりに放射状で多数形成されてパウダー柄の内部空間を分割する多数の隔板とで構成された分割板が更に具備されることである。
【００１２】
本発明の化粧用ブラシの更なる特徴は、前記チューブの内部に二つのフィルターが具備され、前記両フィルターの間に除湿剤が具備されることである。 
【００１３】
したがって、内柄のホルダ爪部や外柄の移動阻止片部によって滑り柄のスライド移送が制限されるため、その構造が非常に簡単になりその製作が容易である。そして、内柄まわりの第１ストッパー突起及び第２ストッパー突起により滑り柄の完全挿入や完全抜き出しの時、滑り柄の掛止片部が第１ストッパー突起及び第２ストッパー突起を通りながら第１ストッパー突起及び掛止爪、または第２ストッパー突起及び第２ストッパー突起及び移動阻止片の間に掛止されるので、滑り柄が不必要にスライドされることが防止できる。また、滑り柄まわりを手で握って引っ張ったり押す場合、掛止片が第１ストッパー突起及び第２ストッパー突起を通ることが容易に感知できるので、滑り柄を無理に引っ張ったり押すことがなくなり部品が破損されるなどの問題が防止できる。
【発明の効果】
【００１４】
本発明によれば、比較的簡単なすべり柄のスライド構造を持つ化粧用ブラシを提供することができる。
【発明を実施するための最良の形態】
【００１５】
以下、本発明の実施形態に対して添付図面を参照して説明する。本発明の具体的な特徴及び長所は、以下の説明によってより一層明確にされる。
【００１６】
図２は本発明の化粧用のブラシを示す分解斜視図である。図３及び図４は図２に示す化粧用のブラシの断面図である。これらの図面には一側にブラシ１２が結合された内柄１１が示されている。この内柄１１は、本発明の特徴にしたがってブラシ１２が結合された一側端部のまわりには掛止爪１１ａが形成され、掛止爪１１ａの一側には第１ストッパー突起１１ｂが、他側端部のまわりには第２ストッパー突起１１ｃがそれぞれ形成される。
【００１７】
この内柄１１はパウダー柄１３の一端に結合される。パウダー柄１３の一端には、後述する外柄１４の一端が結合されるように第１結合突起１３ａが形成され、第１結合突起１３ａの中央には内柄１１の一端が結合されるように第２結合突起１３ｂが形成される。パウダー柄１３の他端には後述する結合チャンバー１７の雄ネジ部１７ａが締結されるように雌ネジ部１３ｃが形成される。
【００１８】
一方、内柄１１まわりには外柄１４が具備される。この外柄１４は一側端部内周面のまわりに移動阻止片１４ａが形成されて、後述の滑り柄１５の掛止片１５ａがこれに掛止される。
【００１９】
そして、内柄１１と外柄１４の間には本発明の特徴である滑り柄１５が具備され、この滑り柄１５には一側端部の内周面に内柄１１の掛止爪１１ａ、あるいは外柄１４の移動阻止片１４ａに掛止される掛止片１５ａが形成される。
【００２０】
パウダー柄１３の他端に形成された雌ネジ部１３ｃには結合チャンバー１７の雄ネジ部１７ａが締結され、この結合チャンバー１７の一側には外部の空気をパウダー柄１３の内部に供給するようにチューブ１８が具備される。結合チャンバー１７の他端にはチューブ１８に空気を注入させるためのボタン２１が具備され、結合チャンバー１７とボタン２１の間にはスプリング２２が具備される。
【００２１】
一方、パウダー柄１３にはその内部の空間を３等分するように分割板２３が更に具備される。この分割板２３は、円筒形で形成されて内部にチューブ１８が挿入される結合部２４と、結合部のまわりに放射状で多数形成されてパウダー柄１３の内部空間を分割する多数の隔板２５とから構成される。
【００２２】
そして、チューブ１８の内部にはパウダー柄１３に供給される空気に含まれた異物質を除去するためのフィルター１９が具備され、フィルター１９の間には除湿剤２０が具備される。
【００２３】
このように構成されている本発明の化粧品用ブラシは、滑り柄１５がブラシ１２まわりを覆い被さっているのでブラシ１２の磨耗及びブラシ１２の汚染が防止される。
【００２４】
そして、内柄１１が有する環状の掛止爪ホルダ１１ａと外柄１４の移動阻止片１４ａと、滑り柄１５の掛止片１５ａとによって、滑り柄１５のスライド制限構造が構成されるので、従来の構造に比べてその形状が簡単であり、化粧用ブラシの製作が容易となる。
【００２５】
また、内柄１１まわりの第１ストッパー突起１１ｂ及び第２ストッパー突起１１ｃが更に形成されるので付加的な機能をすることとなる。これについて具体的に説明する。滑り柄１５が、図３に示すように外柄１４の内部に完全に挿入される場合や、図４に示すように、ブラシ１２のまわりに完全に取り出される場合、滑り柄１５の掛止片１５ａが第１ストッパー突起１１ｂ及び第２ストッパー突起１１ｃを通りながら、第１ストッパー突起１１ｂ及び掛止爪１１ａ、または第２ストッパー突起１１ｃ及び移動阻止片１４ａの間に掛止される。
【００２６】
したがって、滑り柄１５が完全に挿入された状態、あるいは完全に取り出された状態では掛止片１５ａが掛止された状態であるため、滑り柄１５が不必要にスライドされることが防止される。
【００２７】
また、第１ストッパー突起１１ｂ及び第２ストッパー突起１１ｃによる長所は次のとおりである。滑り柄１５のまわりを手で握って引っ張ったり、押したりする場合、掛止片１５ａが第１ストッパー突起１１ｂ及び第２ストッパー突起を通るのが容易に感知されるので、滑り柄１５のスライド過程を目で見なくとも滑り柄１５が完全に取り出されたか挿入されたかがわかる。
【００２８】
したがって、滑り柄１５を無理に引っ張ったり押し込んだりすることがなくなり、滑り柄１５の掛止片１５ａ、もしくは内柄の掛止爪１１ａ、外柄１４の移動阻止片１４ａが破損される問題が防止される。
【００２９】
本発明の化粧品ブラシの更なる長所は、分割板２３によりパウダー柄１３の内部が３分割されることである。これによって、パウダー柄１３に相互異なる色のパウダーを一定割合で収納させて使用できるという長所がある。
【００３０】
そして、本発明の化粧用ブラシは、チューブ１８内にフィルター１９が具備されるので、外部の空気に含まれた異物質がチューブ１８を通過しながら除去されることになり、パウダー柄１３の内部には常にきれいに濾過された空気が供給される。これによって、パウダーが汚染されることが防止され、パウダーがブラシ１２に円滑に供給される。
【００３１】
また、フィルター１９の間に具備された除湿剤２０は、パウダー柄１３側に流入される空気に含まれた湿気を実質的に除去し、外部の湿気によりパウダーが湿ることが実質的に防止される。
【００３２】
以上のような本発明の化粧用ブラシでは、内柄１１の掛止爪１１ａや外柄１４の移動阻止片１４ａにより滑り柄１５のスライド移送が制限されるので、その構造が非常に簡単になり化粧用ブラシを容易に製作することができる。そして、内柄まわりの第１ストッパー突起１１ｂ及び第２ストッパー突起１１ｃにより、滑り柄１５の完全挿入や完全取り出しの時、滑り柄１５の掛止片１５ａが第１ストッパー突起１１ｂ及び第２ストッパー突起１１ｃを通りながら、第１ストッパー突起１１ｂ及び掛止爪１１ａ、または第２ストッパー突起１１ｃ及び移動阻止片１４ａの間に掛止されるので滑り柄１５が不必要にスライドされることが防止される。また、滑り柄１５のまわりを手で握って引っ張ったり押す場合、掛止片１５ａが第１ストッパー突起１１ｂ及び第２ストッパー突起を通るのが容易に感知されるので、滑り柄１５を無理に引っ張ったり押し込まなくなり部品が破損されるなどの問題が防止される。
【図面の簡単な説明】
【００３３】
【図１】従来の化粧用ブラシを示す分解斜視図である。
【図２】本発明の化粧用ブラシを示す分解斜視図である。
【図３】図２に示す化粧用ブラシの断面図である。
【図４】図２に示す化粧用ブラシの断面図である。
【符号の説明】
【００３４】
１１   内柄
１１ａ 掛止爪
１１ｂ 第１ストッパー突起
１１ｃ 第２ストッパー突起
１３   パウダー柄
１４   外柄
１４ａ 移動阻止片
１５   滑り柄 
１５ａ 掛止片
１８   チューブ
１９   フィルター
２０   除湿剤
【図１】
2005007141.tif 000003
【図２】
2005007141.tif 000004
【図３】
2005007141.tif 000005
【図４】
2005007141.tif 000006